(57)【要約】【課題】自動車用合成樹脂製インパネ（インストルメントパネル）の表面を塗装、焼付け処理するために、そのインストルメントパネルを支持するための支持装置であって、そのインパネを基台上の支持フレームに精度よく、安定支持できるようにした。【解決手段】インパネＩＰの長手方向中央部およびその両端部において、そのインパネＩＰを、その平面よりみて３点支持するための、中央部および左、右端部支持点Ａ，Ｂ，Ｃを、基台１上の支持フレーム９に設けた。【選択図】　　　　図３
2004073902.tif 000002
【特許請求の範囲】
【請求項１】
合成樹脂成形品に塗装、焼付けなどの表面処理を施すべく、該成形品を支持するための支持装置であって、
前記合成樹脂成形品（ＩＰ）の長手方向の中央部およびその両端部において、該合成樹脂成形品（ＩＰ）を、その平面よりみて三角形の各頂点に位置する３点で支持するための、中央部および左、右端部支持点（Ａ，Ｂ，Ｃ）を、基台（１）上の支持フレーム（９）に設けたことを特徴とする、合成樹脂成形品の支持装置。
【請求項２】
前記支持フレーム（９）の中央部および左、右端部には、機種に応じて交換可能な複数種の受具（１６ａ，１６ｂ，１６ｃ；１８ａ，１８ｂ，１８ｃ；２０ａ，２０ｂ，２０ｃ）がそれぞれ選択的に着脱可能に取り付けられ、前記左、右端部の受具（１８ａ，１８ｂ，１８ｃ；２０ａ，２０ｂ，２０ｃ）には、前記３つの支持点（Ａ，Ｂ，Ｃ）のうちの左、右端部の２つの支持点（Ｂ，Ｃ）が設けられ、また前記中央部の受具（１６ａ，１６ｂ，１６ｃ）には、合成樹脂成形品（ＩＰ）の熱変形防止用の熱ダレ防止部（Ｐ）が設けられていることを特徴とする、前記請求項１記載の合成樹脂成形品の支持装置。
【請求項３】
前記中央部の受具（１６ａ，１６ｂ，１６ｃ）の熱変形防止用の熱ダレ防止部（Ｐ）と、合成樹脂成形品（ＩＰ）との間には、ギャップ（ｇ）が形成されていることを特徴とする、前記請求項１、または２記載の合成樹脂成形品の支持装置。
【発明の詳細な説明】
【０００１】
【発明の属する技術分野】
本発明は、合成樹脂成形品、主として自動車のインパネ（インストルメントパネル）やバンパーなどの比較的長尺な合成樹脂成形品に塗装、焼付けなどの表面処理を施すために、該合成樹脂成形品を支持する支持装置に関するものである。
【０００２】
【従来の技術】
従来、自動車用のインパネ、バンパーなどの比較的大型で、肉薄に形成される合成樹脂成形品は、熱による変形を受け易いものであるため、自動車のボデーとは別のラインで、専用の支持装置を用いて該合成樹脂成形品を支持してその表面の塗装、焼き付けなどの表面処理を行なうようにしている。
【０００３】
また、最近では、その塗装に使用される塗料は、油性塗料よりも水性塗料が多くなっており、塗装後の表面の乾燥に要する時間も長く（１．２倍〜１．５倍）かかることから、これを短縮するために乾燥温度を上げ（５０°から７０〜８０°）るようにしている。
【０００４】
【発明が解決しようとする課題】
ところで、前記従来の専用の支持装置では、合成樹脂成形品の中央部を、その塗装姿勢を変更できるように支持しているので、その支持構造が複雑になるばかりでなく、支持精度を高めるのが難しく、これが塗装不良を生起する原因になるという問題がある。
【０００５】
また、近年多機種の少量生産の要請があるときに、従来の専用の支持装置では、各機種毎に専用のものを製作する必要があってそのものの製作コストが嵩み、また機種の切換段取り工数が多くなり、さらに専用支持装置のストックスペースが必要になるなどの問題があり、また、乾燥時間の上昇から、乾燥時の合成樹脂成形品の熱ダレにより変形を防止するための高価な技術的手段が必要になるという問題もある。
【０００６】
本発明はかかる事情に鑑みてなされたものであり、大型で肉薄の合成樹脂成形品を精度よく安定して支持することができ、また、受具の交換により、大きさ、長さ、重さの異なる複数の機種の合成樹脂成形品を共通して支持することができ、その上、乾燥熱による塑性変形を抑制できるようにした、新規な合成樹脂成形品の支持装置を提供することを目的とするものである。
【０００７】
【課題を解決するための手段】
上記目的を達成するために、本請求項１記載の発明は、合成樹脂成形品に塗装、焼付けなどの表面処理を施すべく、該成形品を支持するための支持装置であって、前記合成樹脂成形品の中央部およびその両端部において、該合成樹脂成形品を、その平面よりみて三角形の各頂点に位置する３点で支持するための、中央部および左、右端部支持点を、基台上の支持フレームに設けたことを特徴としており、かかる特徴によれば、合成樹脂成形品を、その長手方向の中央部およびその左、右両端部において支持フレーム上に３点支持することができ、これにより該合成樹脂成形品を支持フレーム上に精度よく安定支持することができ、合成樹脂成形品の塗装、焼付けなどの表面処理を的確に行なうことができる。
【０００８】
また、上記目的を達成するために、本請求項２記載の発明は、前記請求項１記載のものにおいて、前記支持フレームの中央部および左、右端部には、機種に応じて交換可能な複数種の受具がそれぞれ選択的に着脱可能に取り付けられ、前記左、右端部の受具には、前記３つの支持点のうちの左、右端部の２つの支持点が設けられ、また前記中央部の受具には、合成樹脂成形品の熱変形防止用の熱ダレ防止部が設けられていることを特徴としており、かかる特徴によれば、前記請求項１記載の発明の効果を奏する上に、複数種の合成樹脂成形品は、基台および支持フレームを共用化してそれぞれ支持することができるので、各機種毎の専用の支持装置を必要とせず、しかも機種の切換段取工数を低減することができ、さらに不使用の専用支持装置をストックしておく必要がないことから、合成樹脂成形品の塗装、焼付けなどの表面処理コストの大幅な低減を図ることができる。さらに合成樹脂成形品の乾燥熱による熱ダレは、熱ダレ防止部により阻止される。
【０００９】
さらに、上記目的を達成するために、本請求項３記載の発明は、前記請求項１また２記載のものにおいて、前記中央部の受具の熱変形防止用の熱ダレ防止部と、合成樹脂成形品との間には、ギャップが形成されていることを特徴としており、かかる特徴によれば、前記請求項１、または２記載の発明の効果を奏する上に合成樹脂成形品の乾燥熱による熱ダレは、熱ダレ防止部により抑制されて組付精度が不良になる程の塑性変形が生じることがない。
【００１０】
【発明の実施の形態】
以下、本発明の実施の形態を、添付の図面に示した本発明の一実施例に基づいて説明する。
【００１１】
この実施例は、本発明合成樹脂成形品の支持装置を自動車用の合成樹脂製のインパネに実施した場合であり、図１はインパネの支持装置の全体斜視図、図２はインパネの支持装置の分解斜視図、図３は図１の３矢視のインパネ支持装置の正面図、図４は図３の４−４線に沿う断面図、図５は図３の５−５線に沿う平面図、図６は図３の６−６線に沿う拡大断面図、図７は図３の７−７線に沿う拡大断面図である。
【００１２】
この実施例は、３種の自動車に対応した、長さ、大きさ、重さの違う３種のインパネＩＰを選択的に支持可能としたものであり、図１に示すように、インパネＩＰの搬送ラインに設けたコンベアＣＯには、インパネＩＰを支持した支持装置Ｓが設置され、この支持装置Ｓは、コンベアＣＯの運転により塗装ブースから乾燥炉へと搬送され、塗装ブースでは、図示しないロボットに設けた塗装ガンＧにより、インパネＩＰの表面に水性あるいは油性の塗料による塗装がなされ、その後、乾燥炉へ送られたインパネＩＰは、加熱下で、焼き付け処理がなされる。
【００１３】
つぎに、図１〜６を参照して本発明に従うインパネＩＰの支持装置Ｓの構造について説明する。
【００１４】
この支持装置Ｓは、基台１と、その基台１上に立設される支柱５と、その支柱５により支持される支持フレーム９と、その支持フレーム９に抜差可能に支持される、中央部受具１６ａ，１６ｂ，１６ｃおよび左、右端部受具１８ａ，１８ｂ，１８ｃ；２０ａ，２０ｂ，２０ｃとより構成されている。
【００１５】
前記基台１は、コンベアＣＯ上に設置される接地盤２上に中空の角筒状をなすアウタ３を一体に立設して構成される。前記支柱５は、前記アウタ３に嵌合される角筒状のインナ６と、その上端面に固定されて水平方向に延びる四角な板材よりなる受座７とより構成されている。また、前記支持フレーム９は、前記支柱５の受座７の中央部に着脱自在に固定されて左右方向（前記コンベアＣＯの搬送方向と直交する方向）に水平に延長される、中空の角筒体よりなる棒状の縦フレーム１０と、この縦フレーム１０の中央部にこれと直交して略水平に延びる横フレーム１１とよりＴ字状に形成され、この縦フレーム１０の中央部に中央部差込フレーム１２が一体に立設され、その縦フレーム１０の左端部（図２，３左端部）には３本の左端部差込フレーム１３ａ，１３ｂ，１３ｃが並列して一体に立設され、さらに縦フレームの右端部（図２，３右端部）には、１本の右端部差込フレーム１４が一体に立設されており、これらの差込フレーム１２；１３ａ，１３ｂ，１３ｃ；１４は、いずれも中空の角筒体より構成されていて、それらには、後述する中央部受具１６ａ，１６ｂ，１６ｃ、左、右端部受具１８ａ，１８ｂ，１８ｃ；２０ａ，２０ｂ，２０ｃがそれぞれ軸線まわりに回転不能に抜差自在に差し込まれる。
【００１６】
図５に示すように、前記支持フレーム９の横フレーム１０の先部には、支持点Ａが形成され、また左端部差込フレーム１３ａ，１３ｂ，１３ｃ，の何れかの一つの縦中心線上には、支持点Ｂが形成され、さらに右端部差込フレーム１４の縦中心線上には支持点Ｃが形成され、これらの支持点Ａ，ＢおよびＣは、平面よりみて三角形の各頂点に位置しており、左、右の支持点Ｂ，Ｃは略同じレベルにあり、中央の支持点Ａは、前記支持点Ｂ，Ｃよりも低いレベルにある。そしてこれらの支持点Ａ，ＢおよびＣは後に述べるように、塗装、焼付けすべきインパネＩＰを、支持フレーム９上に支持するための、平面よりみて三角形の各頂点に存する３つの支持点を構成する。
【００１７】
図２に示すように、中央部差込フレーム１２には、３種のインパネＩＰに対応する、第１，２および３中央部受具１６ａ，１６ｂ，１６ｃが選択的に抜差自在に差し込まれる。そして、これら第１，２および３の中央部受具１６ａ，１６ｂ，１６ｃは、それぞれ中央部差込フレーム１２に抜差自在に差し込まれる差込部Ｉと、この差込部Ｉの上部からインパネＩＰの幅方向に延びる熱ダレ防止部Ｐとを有しているが、熱ダレ防止部Ｐは３種のインパネＩＰを受けるようにそれぞれ異なる形状に形成されている。また、並列される３つの左端部差込フレーム１３ａ，１３ｂ，１３ｃには、３種のインパネＩＰに対応する、第１，２および３の左端部受具１８ａ，１８ｂ，１８ｃがそれぞれ選択的に抜差自在に差し込まれる。これら第１，２および３の左端部受具１８ａ，１８ｂ，１８ｃは、３つの左端部差込フレーム１３ａ，１３ｂ，１３ｃに選択的に抜差自在に差し込まれる差込部Ｉと、その差込部Ｉの頂面に固定される、インパネＩＰの裏面を受けるに適した形状の受部Ｋとを有しているが、それらの受部Ｋは３種のインパネＩＰを受けるに適するようにそれぞれ異なる形状（三角状、四角状あるいは錨状）に形成されている。さらに、一つの右端部差込フレーム１４には、３種のインパネＩＰに対応する、第１，２および３の右端部受具２０ａ，２０ｂ，２０ｃが差し込まれ、これらにも差込部Ｉと受部Ｋ（左端部差込フレーム１３に差し込まれる左端部受具１８ａ，１８ｂ，１８ｃと略同じもの）が形成されている。
【００１８】
つぎに、前記支持装置Ｓを用いて、３種のインパネＩＰを塗装、焼付けすべく、その一つを選択して支持する場合について説明すると、図１に示すように、コンベアＣＯ上の基台１に支柱５を介して固定支持される、支持フレーム９は、その縦フレーム１０がコンベアＣＯの搬送方向と直交する方向に向けて配置される。支持フレーム９の中央部差込フレーム１２には、中央部受具１６ａが差込み支持され、また一つの右端部差込フレーム１４には、右端部受具２０ａが差込み支持され、さらに縦フレーム１０の長手方向に並列される３つの左端部差込フレーム１３ａ，１３ｂ，１３ｃの一つ１３ａには、左端部受具１８ａが差込み支持される。そして、インパネＩＰは、図５に示すように、横フレーム１１先部の支持点Ａ、受具１８ａ，２０ａの受部Ｋ，Ｋの支持点Ｂ，Ｃの３点により、精度よく安定して３点支持される。この場合、縦フレーム１０に沿って並列される３つの左端部差込フレーム１３ａ，１３ｂ，１３ｃは、インパネＩＰの長手方向の長さに対する支持位置を調整するものであり、この例では、最外側の左端部差込フレーム１３ａが選択される。
【００１９】
また、図４に示すように、中央部受具１６ａの、熱ダレ防止部Ｐには、インパネＩＰの長手方向中央部の、前記支持Ａと反対側の下向き傾斜部の下縁が、接触（重さを受けない）され、あるいは僅かなギャップｇ（図４参照）を存して対面され、この熱ダレ防止部Ｐは、後に述べるように、インパネＩＰが乾燥炉に搬送されて、加熱されるときの熱ダレによる塑性変形を防止するためのものである。
【００２０】
以上のように、支持フレーム９に、横フレーム１１および左、右端部受部１８，２０を以て３点支持されたインパネＩＰの表面は、塗装ブースで、図示しないロボットに設けた塗装ガンＧより噴出される水性塗料により塗装される。そして、塗装の終了したインパネＩＰは、コンベアＣＯの搬送により乾燥炉へと搬送され、ここで所定の温度（５０°〜８０°Ｃ）に加熱されて焼付け処理される。このとき、乾燥熱によるインパネＩＰの熱ダレによる変形は、前述したように、熱ダレ防止部Ｐにより防止される。
【００２１】
つぎに、別機種のインパネＩＰの塗装、焼付けを行なうときは、支持装置Ｓの前記基台１、支柱５および支持フレーム９を取り替えることなくそのまま使用される。支持フレーム９の、中央部差込フレーム１２および左、右端部差込フレーム１３ａ，１３ｂ，１３ｃ；１４には、前記別機種のインパネＩＰの３点支持に適した中央部および左、右受具１６ａ，１６ｂ，１６ｃ；１８ａ，１８ｂ，１８ｃ；２０ａ，２０ｂ，２０ｃの各一つが選択され、それらが、中央部差込フレーム１２および左、右端部差込フレーム１３，１４にそれぞれ差込み支持され、前記インパネＩＰの支持要領にしたがって該インパネＩＰを、支持フレーム９に、精度よく、安定して３点支持することができ、該インパネＩＰの塗装、焼付けがなされる。
【００２２】
以上のように、この実施例によれば、インパネＩＰの長手方向の中央部および左、右端部を、平面よりみて三角形の各頂点に位置する３つの支持点Ａ，Ｂ，Ｃで支持フレーム９上に安定よく支持することができ、インパネＩＰの塗装、焼付けを的確に行なうことができる。また、インパネＩＰは乾燥熱による熱ダレに起因する塑性変形は、熱ダレ防止部Ｐにより阻止される。。
【００２３】
さらに、３種のインパネＩＰは、支持装置Ｓの基台１、支柱２および支持フレーム９を共用化してそれぞれ支持することができるので、各機種毎の専用の支持装置を必要とせず、しかも機種の切換段取工数を低減することができ、さらに不使用の専用支持装置をストックしておく必要がないことから、インパネＩＰの塗装、焼付けコストの大幅な低減を図ることができる。
【００２４】
以上、本発明の実施例を説明したが、本発明は上記実施例に限定されるものではなく、特許請求の範囲に記載された本発明を逸脱することなく種々の設計変更を行うことが可能である。
【００２５】
たとえば、前記実施例では、本発明を自動車用のインパネを塗装、焼付け処理するために支持する場合について説明したが、これを自動車用バンパーその他の合成樹脂成形品の支持にも適用でき、また前記実施例では、本発明を３機種のインパネを支持する場合について説明したが、これを２機種、あるいは４機種以上の合成樹脂成形品を支持するのに適用でき、さらに本発明を合成樹脂成形品の、塗装、焼付け以外の表面処理をするための支持装置として用いることもできる。
【００２６】
【発明の効果】
以上のように、本請求項１記載の発明によれば、合成樹脂成形品を、その長手方向の中央部およびその左、右両端部において支持フレーム上に３点支持することができ、これにより、該合成樹脂成形品を支持フレーム上に精度よく安定支持することができ、合成樹脂成形品の塗装、焼付けなどの表面処理を的確に行なうことができる。
【００２７】
また、本請求項２記載の発明によれば、前記請求項１記載の発明の効果に加えて、複数種の合成樹脂成形品は、基台および支持フレームを共用化してそれぞれ支持することができるので、各機種毎の専用の支持装置を必要とせず、しかも機種の切換段取工数を低減することができ、さらに不使用の専用支持装置をストックしておく必要がないことから、合成樹脂成形品の塗装、焼付けなどの表面処理コストの大幅な低減を図ることができ、さらに合成樹脂成形品の乾燥熱による熱ダレは、熱ダレ防止部により阻止することができる。
【００２８】
さらに、本請求項３記載の発明によれば、前記請求項１また２記載の発明の効果に加えて、合成樹脂成形品の乾燥熱による熱ダレによる変形は、ギャップの範囲内の抑えられて製品不良になる程の塑性変形が生じることがない。
【図面の簡単な説明】
【図１】インパネの支持装置の全体斜視図
【図２】インパネの支持装置の分解斜視図
【図３】図１の３矢視のインパネ支持装置の正面図
【図４】図３の４−４線に沿う断面図
【図５】図３の５−５線に沿う平面図
【図６】図３の６−６線に沿う拡大断面図
【図７】図３の７−７線に沿う拡大断面図
【符号の説明】
１・・・・・・・・・・・・基台
９・・・・・・・・・・・・支持フレーム
１６ａ，１６ｂ，１６ｃ・・・・・・・・・・・・中央部受具
１８ａ，１８ｂ，１８ｃ・・・・・・・・・・・・左端部受具
２０ａ，２０ｂ，２０ｃ・・・・・・・・・・・・右端部受具
Ａ・・・・・・・・・・・・中央部支持点
Ｂ・・・・・・・・・・・・左端部支持点
Ｃ・・・・・・・・・・・・右左端部支持点
ｇ・・・・・・・・・・・・ギャップ
ＩＰ・・・・・・・・・・・合成樹脂成形品（インパネ）
Ｐ・・・・・・・・・・・・熱ダレ防止部
【図１】
2004073902.tif 000003
【図２】
2004073902.tif 000004
【図３】
2004073902.tif 000005
【図４】
2004073902.tif 000006
【図５】
2004073902.tif 000007
【図６】
2004073902.tif 000008
【図７】
2004073902.tif 000009